(57)【要約】【課題】スラスト玉軸受用銅合金製もみ抜き保持器の機能を損なうことなく、玉の保持器ポケットへの組込みを容易にし、かつ保持器ポケットから玉が脱落し難い、スラスト玉軸受用銅合金製もみ抜き保持器及びその保持器を備えるスラスト玉軸受を提供する。【解決手段】玉５を転動自在に保持するための複数のポケット２を円周方向に有し、ポケット２は、玉挿入側の開口及びポケット内面が、挿入される玉５の最大径よりも大径に形成された円筒面１７と、円筒面１７と連続して徐々に縮径し、玉挿入側開口と対向する反対側の開口が少なくとも玉の最大径よりも小径に形成された円錐台形状の支持面とで構成され、円筒面１７の玉挿入側の開口寄りの円周上に溝を設け、溝６には、少なくとも挿入された玉５の最大径よりも小径の内径を有する止め輪４が備えられ、止め輪４の内径が円筒面１４に突出して位置する。【選択図】図１
2017180546.tif 000002
【特許請求の範囲】
【請求項１】
玉を転動自在に保持するための複数のポケットを円周方向に有するスラスト玉軸受用銅合金製もみ抜き保持器であって、
前記ポケットは、
玉挿入側の開口及びポケット内面が、挿入される玉の最大径よりも大径に形成された円筒面と、
前記円筒面と連続して徐々に縮径し、前記玉挿入側開口と対向する反対側の開口が少なくとも玉の最大径よりも小径に形成された円錐台形状の支持面と、で構成されており、
前記円筒面の玉挿入側の開口寄りの円周上に溝を設け、
前記溝には、少なくとも挿入された玉の最大径よりも小径の内径を有する止め輪が備えられ、前記止め輪の内径が前記円筒面に突出して位置することを特徴とするスラスト玉軸受用銅合金製もみ抜き保持器。
【請求項２】
前記止め輪は、Ｃ形状の弾性部材であること特徴とする請求項１に記載のスラスト玉軸受用銅合金製もみ抜き受保持器。
【請求項３】
前記止め輪は、Ｏリングの弾性部材であること特徴とする請求項１に記載のスラスト玉軸受用銅合金製もみ抜き保持器。
【請求項４】
請求項１から３のいずれかに記載のスラスト玉軸受用銅合金製もみ抜き保持器を備えたスラスト玉軸受。
【発明の詳細な説明】
【技術分野】
【０００１】
本発明は、保持器ポケットへの玉の組み込みが容易で、かつ、玉が脱落し難いスラスト玉軸受用保持器及びスラスト玉軸受用保持器を備えたスラスト玉軸受に関する。
【背景技術】
【０００２】
スラスト玉軸受は、軸軌道盤とハウジング軌道盤が分離できる状態であるため、軸受の装置への組み付け、取り外しなどの取り扱いのため玉が保持器から容易に脱落しないようにする必要がある。特許文献１では、スラスト玉軸受の樹脂材料製保持器のポケットの開放側に爪（パチン代）を設けて、爪(パチン代)の弾性変形を利用して玉をポケットに入れ、玉がポケットから脱落しないようにすることが記載されている。
【０００３】
しかし、例えばポケットの外径がおよそ３００ｍｍを超えるサイズの場合、樹脂材料製の保持器では成型・強度の面から不適である。また、鋼板プレス保持器を採用することも考えられるが、サイズの制限や回転精度・高速性が、銅合金製もみ抜き保持器と比すると劣っている。従って、この種のスラスト玉軸受においては銅合金製もみ抜き保持器を採用することが望ましい。
【０００４】
図５は、スラスト玉軸受に採用されている従来の銅合金製もみ抜き保持器の一例を示す。従来の銅合金製もみ抜き保持器１１は、図５（ａ）に示すように、玉挿入側の開口及びポケット内面が、挿入される玉１５の最大径よりも大径に形成された円筒面１７と、前記円筒面１７と連続して徐々に縮径し、前記玉挿入側の開口と対向する反対側の開口が少なくとも玉１５の最大径よりも小径に形成された円錐台形状の支持面１８と、でポケット１２が構成されている。このような構成の場合、玉１５を円筒面１７の開口１７側からポケット１２に挿入し、支持面１８で玉１５を抱える構成となっているが、このままでは玉１５が容易に脱落してしまうため、玉１５をポケット１２に入れた後に、図５（ｂ）に示すようにポケット１２の円筒面１７の開口周辺の４箇所を加締めて玉１５が脱落しないようにしている（符号１０は、４箇所の加締め部領域を示す。）。
【０００５】
ところが、前記のスラスト玉軸受の保持器における加締めの工程においては、プレス機を用いたり、また、サイズが大きな場合にはハンマーなどの手作業により実施されていることから、ポケット面の変形、加締め量の不均一及びポケット形状の精度の悪化という問題があって、玉が保持器に拘束される危険性がある。
【先行技術文献】
【特許文献】
【０００６】
【特許文献１】特開２００６−７７９６４号公報
【発明の概要】
【発明が解決しようとする課題】
【０００７】
そこで、本発明は、前述した課題に鑑みてなされたものであり、その目的は、スラスト玉軸受用銅合金製もみ抜き保持器の機能を損なうことなく、玉の保持器ポケットへの組込みを容易にし、かつ保持器ポケットから玉が脱落し難い、スラスト玉軸受用銅合金製もみ抜き保持器及びスラスト玉軸受用銅合金製もみ抜き保持器を備えるスラスト玉軸受を提供することにある。
【課題を解決するための手段】
【０００８】
このような目的を達成するために、第１の発明は、玉を転動自在に保持するための複数のポケットを円周方向に有するスラスト玉軸受用銅合金製もみ抜き保持器であって、前記ポケットは、玉挿入側の開口及びポケット内面が、挿入される玉の最大径よりも大径に形成された円筒面と、前記円筒面と連続して徐々に縮径し、前記玉挿入側開口と対向する反対側の開口が少なくとも玉の最大径よりも小径に形成された円錐台形状の支持面と、で構成されており、前記円筒面の玉挿入側の開口寄りの円周上に溝を設け、前記溝には、少なくとも挿入された玉の最大径よりも小径の内径を有する止め輪が備えられ、前記止め輪の内径が前記円筒面に突出して位置することを特徴とする。
第２の発明は、第１の発明において、前記止め輪は、Ｃ形状の弾性部材であること特徴とする。
第３の発明は、第１の発明において、前記止め輪は、Ｏリングの弾性部材であること特徴とする。
第４の発明は、第１の発明から第３の発明のいずれかのスラスト玉軸受用銅合金製もみ抜き保持器を備えたスラスト玉軸受としたことを特徴とする。
【発明の効果】
【０００９】
本発明のスラスト玉軸受によれば、スラスト玉軸受用銅合金製もみ抜き保持器の機能を損なうことなく、玉の保持器ポケットへの組込みを容易にし、かつ保持器ポケットから玉が脱落し難いスラスト玉軸受用銅合金製もみ抜き保持器及びスラスト玉軸受用銅合金製もみ抜き保持器を備えるスラスト玉軸受を提供することができる。
【図面の簡単な説明】
【００１０】
【図１】本発明の第１実施形態に係るスラスト玉軸受用銅合金製もみ抜き保持器を一部省略して示す概略断面図である。
【図２】（ａ）はスラスト玉軸受用銅合金製もみ抜き保持器のポケット部分の概略断面図で、（ｂ）は（ａ）のポケット部分の一部を拡大した概略断面図である。
【図３】（ａ）は本発明の第１実施形態で用いる止め輪を示す図で、（ｂ）は止め輪を挿入後のスラスト玉軸受用銅合金製もみ抜き保持器を示す図である。
【図４】本発明の第２実施形態に係るスラスト玉軸受用銅合金製もみ抜き保持器のポケット部分の概略断面図である。
【図５】（ａ）は、従来のスラスト玉軸受用銅合金製もみ抜き保持器の加締め前のポケット部分を拡大して示す概略断面図、（ｂ）は加締め部分を示す概略平面図である。
【発明を実施するための形態】
【００１１】
以下、本発明スラスト玉軸受用銅合金製もみ抜き保持器及びその保持器を備えるスラスト玉軸受の一実施形態を図に基いて説明する。なお、本発明は本実施形態に限定解釈されるものではなく本発明の範囲内において適宜設計変更可能である。
【００１２】
［第１実施形態］
本実施形態のスラスト玉軸受は、軸に取り付けられる図示しない軸軌道盤及びハウジングに取り付けられる図示しないハウジング軌道盤と、軸軌道盤及びハウジング軌道盤の相対向する面に設けられた溝間に組み込まれる複数個の玉（転動体）５と、複数個の玉（転動体）５を転動自在に保持する複数個のポケット２を備えた円環状の銅合金製もみ抜き保持器（以下、単に保持器ともいう。）１で構成されている。軸軌道盤及びハウジング軌道盤は図示しないが周知一般の形態が本発明の範囲内で採用可能である。
【００１３】
保持器１のポケット２は、図５に示す従来の加締め前のポケット１２と同様、玉挿入側の開口及びポケット内面が、挿入される玉５の最大径よりも大径に形成された円筒面７と、前記円筒面７と連続して徐々に縮径し、前記玉挿入側の開口と対向する反対側の開口が少なくとも玉５の最大径よりも小径に形成された円錐台形状の支持面８と、で構成されている（図２（ａ）参照。）。また、支持面８と軸方向において反対側のポケット２の玉挿入側、即ち、円筒面７の玉挿入側の開口寄りに、円周上の溝６が設けられている（図２（ｂ）参照。）。
【００１４】
溝６には、弾性部材からなる平面視がＣ形状の止め輪４を備えている（図３（ａ）参照。）。溝６の断面視形状は、内径方向に矩形の溝を切り欠いたものである。なお、溝６の高さと奥行き深さは、止め輪４の形状に応じて決められ、本実施形態に限定されるものではなく、また、Ｃ形状の弾性部材の止め輪４であれば本発明の技術範囲内である。
【００１５】
止め輪４は、その内径が玉５を脱落させないように少なくとも玉５の最大径よりも小さく、その外径は玉５の最大径よりも大きく形成され、溝６に嵌合させたときに、止め輪４の内径が円筒面７に突出して位置する。なお、止め輪４は、玉５をポケット２に収納した後に、溝６に弾性変形させて嵌合する。Ｃ形状としているのは、止め輪４を溝６に挿入し易くするためである。止め輪４は、玉５の転動を阻害しないように摺動性の高い摩擦係数の小さい弾性部材を採用するとよい。
【００１６】
これにより、スラスト玉軸受用銅合金製もみ抜き保持器の機能を損なうことなく、玉５のポケット２への組込みを容易にし、かつポケット２から玉５が脱落し難いスラスト玉軸受用銅合金製もみ抜き保持器及びその保持器を備えるスラスト玉軸受を提供することができる。
【００１７】
［第２実施形態］
図４は、本発明を構成する止め輪の他の実施形態の一例を示し、本実施形態では、止め輪４として弾性部材からなるＯリングが採用されている。Ｃ形状の止め輪に代えてＯリングからなる止め輪４とした点のみで第１実施形態と相違し、その他の構成及び作用効果は第１実施形態と同じであるため詳細な説明は省略する。
【００１８】
本発明は、本実施形態に示す単式のスラスト玉軸受のほか、複式のスラスト玉軸受にも利用可能である。
【符号の説明】
【００１９】
１  スラスト玉軸受用銅合金製もみ抜き保持器
２  ポケット
４  止め輪
５  玉
６  溝
７  円筒面
８  支持面
【図１】
2017180546.tif 000003
【図２】
2017180546.tif 000004
【図３】
2017180546.tif 000005
【図４】
2017180546.tif 000006
【図５】
2017180546.tif 000007